Podtech/llm-jp-corpus-v4-ja_patent huggingface dataset:
(57)【要約】【課題】歯の治療の際に噛み合わせや噛み具合をその場で確実に確認できる模擬食品。【解決手段】歯科医院に石油製品や食用デンプンなどを加工して製造した模擬食品を常備し、歯の治療の際に実際に噛んで噛み具合を確実に確かめられることを特徴とする。【選択図】  なし【特許請求の範囲】
【請求項１】
歯科医院において、歯の治療の際に実際に患者が噛んで噛み合わせや噛み具合を確かめる事が出来るように普通の食品のごとく一定の硬度と粘度をもたせたもの。
【請求項２】
歯の食べ物を噛み切る機能と噛み潰す機能を確認しやすい形状で、患者にとって抵抗の無いラーメンのような麺状のものや肉などの形状の物。
【発明の詳細な説明】
【０００１】
【発明の属する技術分野】
この発明は、歯科医院で歯の治療の際に噛み合わせや噛み具合を確かめるために模擬食品を食べ物のように実際に噛ませてみて確認するものである。
【０００２】
【従来の技術】
従来、入れ歯を作った際に噛み具合を確かめるためには、歯をカチカチと合わせたり、紙を噛ませて噛み具合を見るだけだった。
【０００３】
【発明が解決しようとする課題】
しかし、実際に食べ物を食べて確認しないので、本当に噛みあわせが合っているのか患者本人でさえ確実に確かめる事ができなかった。
本発明は、その欠点を解決するために発明したものである。
【０００４】
【課題を解決するための手段】
何で作ってもよいが、石油製品や食用デンプンを加工するなどして、噛み応えも実際の食品と同じような感覚の模擬食品を実際に噛ませる。
本発明は、こうする事によって歯科医院において患者本人が実際に食べ物を食べる要領で噛み具合を確認する事ができる。
【０００５】
【発明の実施の形態】
本発明の実施の形態について説明すると、歯科医院に模擬食品を常備し噛み合わせや噛み具合を確認するときに模擬食品を患者に実際に食べ物を食べる要領で噛ませて確認する。
【０００６】
【発明の効果】
本発明は、このような模擬食品を歯科医院に常備する事によって歯の治療の際に簡単でより確実に噛み具合を確かめる事のできるものである。
(57)【要約】      （修正有）【課題】おしめに排尿、排便をしたときに体に付着し、不快感があり、又廃却するときに汚れたり手間がかかる。【解決手段】おしめ本体１に排尿用の袋８、大便用の袋１３をとりつけ尿用弁６を弁体の１枚とし、大便受けは丸鍔１２に外から袋１３を掛け折り返しを長くし、その部分に縦数条の切れ目を入れ、袋を本体の便穴に入れ鍔で支える様にした。【選択図】図１
2004249060.tif 000002
【特許請求の範囲】
【請求項１】
弾力性のある薄片をその周辺より僅かに内側で点接着した弁と、少し厚目で自由に曲がる程度の鍔形のプラスチックに外側から折り曲げ部分を長目にして袋を掛け、折れ曲がった部分に縦数条の切目を入れた大便受けの便袋を、おしめ本体の便穴に入れ鍔で支える様にした機構的おしめの大便受けの構造。
【発明の詳細な説明】
【０００１】
【産業上の利用分野】
【０００２】尿、大便の処理に関するものである。
【従来の技術】
【０００３】小生保有の特許第３３４５６０８号（以下特許と略称する）の尿用弁は２枚重ねのＷチェック弁で構造が複雑で、製作工程も多くその効果も発明のものと大差ない。又大便受けは上向きで排便するものと仮定し、掛鍔を排便口に付け、それに上方向を接着し下方向が開く弁を付け、便袋を掛鍔に掛けるようにしたもので、構造が複雑で取扱も面倒である。
【発明が解決しようとする問題点】
【０００４】上記の欠点を除き作り易く取扱い易いものとする。
【構造】
【０００５】適宜の丸穴を開けた瓶栓状の保護筒の内底に、底と同形で少し小さめのプラスチックの薄片を、周辺より僅かに内側で点接着した尿用弁と、少し厚目で自由に曲がる程度の鍔形のプラスチックに外側から折り曲げ部分を長目にした袋を掛け、折れ曲がった部分に縦数条の切目を入れた大便受けの便袋をおしめ本体の便穴に入れ鍔で支える様にした構造とする。
【０００６】作りやすく扱い易いものとなる。
【実施例】
【０００７】図において１はおしめ本体、２はカバー、３は排出孔、４は保護筒、５は丸孔、６は尿用弁、７は接着点、８は尿袋を示す。特許の尿用弁では丸孔５に同じ孔を開けたプラスチックの薄片を接着し、夫にもう１枚同じものを重ねて周辺より僅か内でその２枚を接着したもので、構造が複雑となり手間が掛かる。発明では丸孔５の内底に、底と同形で少し小さめのプラスチックの薄片１枚を、周辺より僅かに内側で点接着したもので、簡単で効果も余り変わらない。特許の大便受けは、本体１に開けた便穴９と、それと同じ内径の鍔を便穴９の縁に接着した掛鍔１０、掛鍔１０に上側の一部を接着し下方が開くようにした片弁１１をつけ、便袋１３を掛鍔に掛けるようにしたもので排便は上向きでするものと仮定し、水様便に対しては袋の折り返しと、それと同様のものを弁の周辺に貼って逆流を防ぐようにしたが不充分である。以上の様に構造が複雑で、袋掛けも狭い範囲で扱いにくい。発明の方法は構造の項で前記したように、丸鍔１２に外から便袋１３を掛け、袋の折り返しを少し長目にして、折り返しに縦数条の切れ目を入れ、袋を本体の便穴９に入れ鍔で支えるようにしたもので、構造も簡単で扱い易い。逆流に対しては、折り返し部分が体に当たる事に依って、複雑に重なり合って水様便に対しても対応出来、排便の際の体方向も自由である。
【図面の簡単な説明】
【図１】男子用おしめの部分側面図
【図２】発明の尿用弁の従断面図
【図３】発明の尿用弁の平面図
【図４】特許の大便受けの側断面図
【図５】発明の大便受けの側断面図
【符号の説明】
１  おしめ本体
２  カバー
３  排出孔
４  保護筒
５  丸孔
６  尿用弁
７  接着点
８  尿袋
９  便穴
１０  掛鍔
１１  片弁
１２  丸鍔
１３  便袋
【図１】
2004249060.tif 000003
【図２】
2004249060.tif 000004
【図３】
2004249060.tif 000005
【図４】
2004249060.tif 000006
【図５】
2004249060.tif 000007
(57)【要約】【目的】椅子（１）に座った際、女性器（９）の膣のあたる位置に貫通しただ円形の蒸気穴（３）を設け、この下に電気コンロ（４）と鍋（５）を設置し、当該鍋の中に水と乾燥よもぎ草と漢方薬を入れて煮詰めて蒸気（８）を発生させ、この蒸気を全裸体で椅子（１）に座った女性の女性器（９）にあてて、女性器官の諸々の症状を緩和し、あわせて全身の皮膚の美容等を促進さすことを特徴とする。【構成】椅子（１）に蒸気穴（３）を設け、この下に電気コンロ（４）とこの上に鍋（５）を設置したことを特徴とする。【選択図】  図２
2004249054.tif 000002
【特許請求の範囲】
【請求項１】
（イ）椅子（１）に腰をおろして座った際、女性器（９）の膣にあたる位置の中央部に、貫通する、だ円形の蒸気穴（３）を設ける。
（ロ）当該蒸気穴（３）に、全裸体の女性が首から下の全身が隠れるようにタオル地で防水を施したガウン（１０）を着て、大腿部を開いて座り、蒸気穴（３）の下に電気コンロ（４）及び鍋（５）を設ける。
（ハ）当該鍋（５）の中に、水及び乾燥よもぎ草及び漢方薬を入れ、これを煮詰め強い殺菌力と薬効をもつこの蒸気（８）を、女性器（９）及び首から下の全身にあてることを特徴とする、蒸気穴を持つ椅子。
【発明の詳細な説明】
【０００１】
【産業上の利用分野】
本発明は、全世界に広く植物として分布する、いわゆる（よもぎ草）の強い薬効を応用して、女性器の膣炎等による、かゆみや冷え、はれ、おりもの等、生理痛、下腹痛などを緩和し、合わせて全身の血液循環を促進させ、美容にも効果的にしたもので、自宅においても簡単に実施できる、蒸気穴を持つ椅子に関する。
【０００２】
【従来の技術】
植物である（よもぎ草）は、古代より優れた薬効は知られており、煎じ薬や乾燥させてお灸などに使っていたものであるが、本発明のごとく、乾燥させた（よもぎ草）と漢方薬とで煮詰め、この蒸気（８）を女性器又は患部又は首から下全身にあてる、座蒸し方法は存在しなかった。
【０００３】
【発明が解決しようとする課題】
当然ではあるが、女性には女性器があり、すべての女性が大なり小なり、細菌によって膣炎から、かゆみや冷え、はれ、おりもの、生理痛、下腹痛、腰痛を経験し、これが生涯続くものである。本発明はこれからの諸症状を緩和するために考え、更に自宅でも容易に実施できるようにしたものである。
【０００４】
【課題を解決するための手段】
本発明は、（よもぎ）の強力な薬効を応用したもので、この乾燥よもぎと漢方薬とを一緒に煮詰めると蒸気（８）が発生するが、この蒸気が非常に強い殺菌力があり、これを女性器（９）に直接あてるものである。これにより女性器特有の諸症状が緩和される。
更にこの蒸気が首から下の全裸身にまわり、ガウン（１０）によって外部に逃げないので内部はサウナ状となり、全身の血液循環を促進させながら、皮脂などの老廃物が体外に良く出るようになり、皮膚の美容にも著しく効果がある。
【０００５】
【作用】
本発明を使用する女性は全裸になり、本発明の効果を高めるために女性器（９）を広げる必要があるが（図２）のごとく大腿部を開いてだ円形の蒸気穴（３）に座る。次に電気コード（６）で家庭内の電源につないで、電気コンロ（４）で鍋（５）の中の乾燥よもぎ草と漢方薬を煮詰めると、蒸気が発生し、この蒸気（８）が蒸気穴（３）を通過して女性器（９）に直接に当てて、諸症状を緩和するものである。この際ガウン（１０）を着けることは言うまでもない。
【０００６】
【実施例】
本発明の椅子（１）は正面から見て、椅子（１）の下部の右側及び左側に側板（２）があり、前部及び後部には側板はない。電気コンロ（４）で鍋（５）の中の乾燥よもぎ草と漢方薬を煮詰め蒸気（８）を発生させるのであるが、この蒸気の通り道は、蒸気穴（３）を通過して女性器（９）にあてる蒸気と、側板のない前部口と後部口に出る蒸気がある。
この蒸気は、首から下の全裸身にあてる蒸気であり、ガウン（１０）により、外部にもれないので、内部は高熱のサウナ状となり、薬効と発汗によって皮膚の老廃物が体外に出やすくなり、美容にも著しい効果がある。
【０００７】
【発明の効果】
すべての女性は、女性器官に様々な症状が発生する。それは細菌による膣炎によっての、かゆみ、はれ、おりもの等であったり、生理痛、下腹痛、腰痛、肩こり、も発生する。ところが本発明の蒸気（８）を女性器又は皮膚にあてることにより（よもぎ草）と漢方薬の薬効により、これらの諸症状が著しく緩和される。また、下腹部の血液循環を促進させながら、老廃物や脂肪が体外に出やすくなり、従って全身の皮膚に透明感をもたらし、また更年期障害の緩和にも役立ち、なによりも簡単にだれでも実施できる効果の大きい発明である。
なお、本発明から以下の態様が可能となる。
（イ）蒸気（８）を顔面にあてることにより、顔の皮膚を活性化して美容に著しく効果がある。
（ロ）蒸気（８）を肛門にあてることにより、肛門周辺の充血が解かれ緩和されるので痔にも効果的である。従って男性も利用可能である。
【図面の簡単な説明】
【図１】は本発明の斜視図である。
【図２】は本発明の斜視図である。
【図３】は本発明の使用状態を示す図である。
【符号の説明】
１は椅子
２は側板
３は蒸気穴
４は電気コンロ
５は鍋
６は電気コード
７は裸体
８は蒸気
９は女性器
１０はガウン
【図１】
2004249054.tif 000003
【図２】
2004249054.tif 000004
【図３】
2004249054.tif 000005
(57)【要約】      （修正有）【課題】化粧品など使用の際に残った内容物を無駄なく最後まで取り出す道具を提供する。【解決手段】先端にゴムを使用し、ゴム部はヘラ状で小口ビンに入る大きさである。【選択図】図２
2004249056.tif 000002
【特許請求の範囲】
【請求項１】
小さい容器に使用する事を設けたことを特徴とするゴムべら。
【請求項２】
ゴム部分を最小の寸法にしたへらであり、持ち手の長い棒に取り付ける事により、小口容器の中身をかき出す事が出来るゴムへら。
【発明の詳細な説明】
【０００１】この発明は、日用品の使用に際して使用するゴムへらの形状に関する。
【０００２】
【従来の技術】
従来の食品、工業用以外の形状はなく、図２に示すように、ゴム部分を最小の寸法に縮小する事により、日用品に使用できるものである。
【０００３】
【発明が解決しようとする課題】
しかしながら、以上の従来技術によれば、化粧品等の小口容器からは、最後まで内容物を取り出す事が出来なかった。
そこで、この発明は、無駄なく内容物を取り出す事の出来るゴムへらを提供することを課題とする。
【０００４】
【課題を解決するための手段】
以上の課題を解決するために、請求項１の発明は、小さい容器に使用する事を設けたことを特徴とするゴムべらである。
また、請求項２の発明はゴム部分を最小の寸法にしたへらであり、持ち手の長い棒に取り付ける事により、小口容器の中身をかき出す事が出来るゴムへらである。
【０００５】
【発明の実施形態】
この発明の一実施形態を、図１に示す。
ヘらの先端▲２▼はゴム製であり、一辺は半月状にカーブしている。
持ち手となる棒部分先端図▲１▼とへら部分図▲２▼は結合している。
【０００６】
【実施形態の効果】
この実施形態によれば、ゴム部分図▲２▼が小口形状のビン、容器、細筒状の形態のものから、内容物を容易に無駄なく取り出しやすい。
【０００７】
【他の実施形態】
図１の実施形態では、ゴム部分と持ち手部分は中心で接合しているが、片端に接合していても良い。
尚、へら部分の大きさは横５ミリから１０ミリ縦８ミリから２５ミリ程度の大きさのバリエーションがあるものとする。
【０００８】
【発明の効果】
以上説明したように、この発明によれば、化粧品、日用品、食品に至る小口容器、細筒状容器から内容物を容易に無駄なく取り出す事ができる。
【０００９】
また、形状が小型なので口の小さい容器にかかわらず、細筒状、凹凸があるものでも内容物を容易に無駄なくかき出す事が可能である。
【図面の簡単な説明】
【図１】この発明の一実施形態を示す正面図である。
【図２】この発明の一実施形態を示す斜視図である。
【符号の説明】
▲１▼ゴム部                    ▲２▼持ち手
【図１】
2004249056.tif 000003
【図２】
2004249056.tif 000004
(57)【要約】【課題】この発明は、トイレットペーパーを切断するための切断具とペーパーを押さえるためのウエイトを一体化し、トイレットペーパーのホルダーカバーの内側に取付けられるように工夫したトイレットペーパーホルダーの補助切断具を提供する。【解決手段】トイレットペーパー（５）を切断するための切断具（１）とペーパー（５）を押さえるためのウエイト（２）を一体化したことを特徴とする。【選択図】  図１
2004249055.tif 000002
【特許請求の範囲】
【請求項１】
トイレットペーパー（５）を切断するための切断具（１）にペーパーを押さえるためのウエイト（２）を設け、ウエイト（２）に接着部（３）を設けたことを特徴とした、トイレットペーパーホルダーカバーの補助切断具。
【発明の詳細な説明】
【０００１】
【発明の属する技術分野】
この発明は、トイレットペーパーを切断するための切断具とペーパーを押さえるためのウエイトを一体化し、トイレットペーパーのホルダーカバーの内側に取付けられるように工夫したトイレットペーパーホルダーの補助切断具に関するものである。
【０００２】
【従来の技術】
従来は、ペーパーを切断するとき、カバーを片手で押え、もう一方の片手でペーパーを、上横方向に引張って切断していた。
これは、切断機能の無い、カバーの端や縁で切断するため、両手を使わなければならなかった。
【０００３】
【発明が解決しようとする課題】
従来、ペーパーを切断するとき、カバーの上面を片手で押え、片一方の手でペーパーを引張り、引きちぎるために、どうしても両手を使わなければならなかった。
（イ）  市販のトイレットペーパー（５）のホルダーカバー（６）には、ペーパー（５）を切断するような装置がないため、切断具を取付けた。
（ロ）  ペーパー（５）を重りなどを使って押さえて、ペーパー（５）を切断しやすいように適当なウエイトを設けた。
（ハ）  これらをホルダーカバー（６）の内側に装着した。
（ニ）  それによって、カバーを押さえなくても片手でペーパー（５）を切断することができる。片方の手でホルダーカバーを押さえなくても片手だけで切断できる。
本発明は、これらの欠点を解決するためのものである。
【０００４】
【課題を解決するための手段】
トイレットペーパー（５）を切断するための切断具（１）にペーパー（５）を押さえるためのウエイト（２）を設け、ウエイト（２）に接着部（３）を設ける。
本発明は以上のように構成された、トイレットペーパーホルダーカバーの補助切断具である。
【０００５】
【発明の実施の形態】
以下本発明の実施の形態について説明する。
トイレットペーパー（５）を切断するための切断具（１）にペーパー（５）を押さえるためのウエイト（２）を設け、ウエイト（２）に接着部（３）を設け、トイレットペーパーホルダーカバーと補助切断具を一体化する。
切断具（１）は危険防止のため、材料は軟かいもの、例えば樹脂のようなものを使用し、危険のない形にする。
本発明は以上のような構造で、これの使い方を説明する。
ペーパーホルダー（６）のカバー（４）の内側に、本発明を取り付ける。
市販のペーパーホルダー（６）は、肉厚の樹脂材のものと、うすいステンレス製のものなどがあるので、どのカバー（４）にも同じ動作や作業で取付けられるように作っている。
本発明の取付け、取扱いは簡単である。
【０００６】
【発明の効果】
機能的効果は、片手でペーパー（５）を切断することができる。
装置がペーパーホルダー（６）の美観を損なうものであってはならない。
【図面の簡単な説明】
【図１】本発明の斜視図である。
【図２】本発明の使用状態を示した側面図である。
【図３】本発明の使用状態を示した側面図である。
【図４】従来のペーパーホルダーの使用状態を示した側面図である。
【符号の説明】
１  切断具
２  ウエイト
３  接着部
４  ペーパーホルダーのカバー
５  トイレットペーパー
６  ペーパーホルダー
【図１】
2004249055.tif 000003
【図２】
2004249055.tif 000004
【図３】
2004249055.tif 000005
【図４】
2004249055.tif 000006
(57)【要約】【課題】従来、車に付いているサンバイザーは、手で動かし長年ほぼ同じ形で見た目にもあまり格好が良くなく、長さも一定であるため、太陽が低い位置の時は、長さが足りず眩しいことがある。【解決手段】自動車のフロントガラス上部の天井内に、電動で上下する半透明のアクリル板サンバイザーを取り付け、日光が眩しいときはそれを下げて日よけとする。長さも従来の物より長めにしておけば太陽が低い位置のときも眩しくなく安全運転ができる。【選択図】        図１
2004249922.tif 000002
【特許請求の範囲】
【請求項１】
自動車のサンバイザーを半透明のアクリル板にし、電動で上下させて、使用しない時は、天井内に収納できる電動上下式サンバイザー。
【発明の詳細な説明】
【０００１】
【発明が属する技術分野】
本発明は、日光が眩しい時に使用する車の装備品に関するものである。
【０００２】
【従来の技術】
従来の車に付いているサンバイザーは、手動で動かし長年ほぼ同じ形で、長さもほぼ一定の物しかない。
【０００３】
【発明が解決しようとする課題】
解決しようとする問題点は、どの車のサンバイザーもほぼ同じ形で、見た目にもあまり格好が良くない。又太陽が地平線近くにあるときサンバイザーの長さが足らず眩しい。座高が低い人もサンバイザーの長さが足りず眩しいことが多く、運転に支障をきたすことがある点である。
【０００４】
【課題を解決するための手段】
本発明は、フロントガラス上部の天井内部に、電動で上下する半透明のアクリル板で出来たサンバイザーを取り付け、日光が眩しいときは、電動で下げる。眩しくない時は、天井内部に収納されるので天井がすっきりする。アクリル板の色も下から徐々に濃くしていき、下の方は視界の妨げにならないようにする。サンバイザーの長さも従来の物より長めにして、太陽が地平線近くで眩しい時はある程度下げられるようにしておく。
【０００５】
【実施例】
フロントガラス上部の天井内部に、半透明のアクリル板サンバイザー（１）を取り付け、そのサンバイザーの上部をアングル（５）で止め、モーター（３）とつなぐ。フロントガラス両端の窓枠と、車内バックミラーのステーにサンバイザーがスムーズに動くためのレール（４）を付ける。モーターのスイッチを運転席と助手席に取り付け電動でサンバイザーが上げ下げできるようにする。日光が眩しい時に、電動でアクリル板サンバイザーを下げ日よけとする。サンバイザーが必要のない時は、サンバイザーを天井内部に収納する。
【０００６】
【発明の効果】
本発明により、サンバイザーを天井内部に収納できるため、天井もすっきりし電動で上下するので高級感もある。又太陽が低い位置で従来のサンバイザーでは日よけにならなかった場合でも、ある程度下げられるようにしておけば眩しくなく、サンバイザーも半透明のアクリル板を使用するため視界も良好で、安全運転ができる。
【図面の簡単な説明】
【図１】この発明の車内から見た正面図である。
【図２】車内から見た天井部分の断面図である。
【図３】車を側面から見た断面図である。
【符号の説明】
１  アクリル板サンバイザー
２  フロントガラス
３  モーター
４  レール
５  アングル
【図１】
2004249922.tif 000003
【図２】
2004249922.tif 000004
【図３】
2004249922.tif 000005
(57)【要約】      （修正有）【課題】従来の吊革に掴まることで乗客は車両からのゆれを直に受けていたため安定姿勢を保つのが苦痛だった。【解決手段】吊革の向きを車両からのゆれを直に受けない２つの方向に固定させることで乗客が安定姿勢を保つのを容易にさせる。【選択図】    図２
2004249950.tif 000002
【特許請求の範囲】
【請求項１】
交通機関車両の進行方向に向きに対して体を時計の針の回転方向ならびに時計の針の逆回転方向に４５°回転した位置に吊革の向きが変更ならびに固定できること。
【請求項２】
吊革の素材は金属もしくは硬質プラスチックなど人間が手で力を加えても絶対によじれないものを使用する。
【請求項３】
吊革とそれが接合される長尺との接合部分は絶対によじれない。
【発明の詳細な説明】
【０００１】
【発明の属する技術分野】
本発明は従来の交通機関車両吊革の向きを変更できるよう吊革の構造を変えることで車両からのゆれに乗客が直に受けるのを避け安定な姿勢を容易に保てるようにするものである。
【０００２】
【従来の技術】
従来の吊革に掴まることにより乗客は車両の外側へ真正面に立つ構造になっていた。
【０００３】
【発明が解決しようとする課題】
従来の吊革に掴まり車両外側真正面を向いている乗客の体は車両の左右からのゆれを真正面から直に受けていた。特に車両の左右の大きなゆれが連続的に多数回発生すると人体も左右に大きく揺れ体を安定位置に支える為に吊革に強力に掴まる必要があった。また強力に握っていても体を支えきれない状態では手もしくは腕の力だけでなく他の人体部分の力を入れなければならず安定な姿勢を保つのが苦痛であった。
【０００４】
【課題を解決するための手段】
乗客が車両から受けるゆれの方向は主に車両の前後左右からの計４方向である。これら４方向からのゆれを直に受けないためにはそれらの方向を避けた方向へ人体を向ければよい。そこで吊革部分を直にゆれを受けない方向に向けなおかつ吊革がよじれないように吊革の素材を硬質にして方向を固定すれば人体も自ずとそちらへ向きなおかつ向きも安定方向に常に固定させることが出来る。
【０００５】
【課題を解決するための手段】
従来の吊革とそれを接続する長い尺を車両の天井方向から見た図が図１となる。交通機関車両の進行方向１０３１に対して平行に吊革を接合する長尺１００１が走っている。進行方向１０３１に平行して吊革１００２が長尺１００１にぶら下がっている。車両のゆれは吊革１００２に掴まっている乗客に対して１０１１、１０１２、１０１３、１０１４の方向からかかる。従来は吊革１００２に掴まっている乗客は１０１１もしくは１０１２の方向を向いていたため１０１１ならびに１０１２の方向から連続多数回の大きなゆれを受けると人体は大きく１０１１ならびに１０１２の方向に揺さぶられ姿勢を安定させるのに大変労力がいる。また１０１３ならびに１０１４からゆれが起きると両隣の乗客から肩に圧力がかかり非常に不愉快になる。混雑時に立って車両に乗っている中高年の乗客には体の位置を安定させるのに大変な苦痛となる。
今発明による吊革とそれを接続する長尺を横方向から見た図が図２になる。長尺２００１に吊革は接続部分２００２によって接続されている。接続部分２００２には円盤２００３が溶接されている。また円盤２００３は円盤２００４と擦り合わせられており、その円盤２００４には握り手部分２００５が溶接されており握り手方向変更ボタン２００６も付いている。握り手部分２００５の向きを変えるためには握り手方向変更ボタン２００６を押しながら握り手部分２００５を回転させるとある決まった角度まで回転して向きが固定される。固定される位置は図１の従来の吊革の位置から時計の針の回転方向に４５°回転させた場所と時計の針の回転方向と逆方向に４５°回転させた場所の計２個所である。図２握り手部分２００５を時計の針の回転方向に４５°回転させたところを車両天井から見たものが図３である。また図２握り手部分２００５を時計の針の回転の逆方向に４５°回転させたところを車両天井から見たものが図４である。図３の握り手部分３００２に掴まることで自然に乗客の人体も長尺から斜め４５°に傾いた方向を向くため図１の１０１１、１０１２、１０１３、１０１４の方向からゆれを直に受けることはない。また図４の握り手部分４００２に掴まることでも同様の効果が得られる。
【０００６】
【発明の効果】
従来の吊革では人体の肩幅分だけ隣の吊革との間隔が必要だった。今発明では長尺に対して人体を斜に構えるように吊革を設置していることにより隣同士の吊革との設置間隔も人体の肩幅分ほど取らなくて済む。このことにより一定長の長尺により多くの吊革を設置することができ、よってより多くの立ち乗り乗客が今発明の吊革に掴まることにより安定に姿勢を保つことが出来る。また従来のように車両がゆれるたびに同方向に一斉に乗客が傾く可能性が少なくなるため車両の一方向に重量が過度にかかる可能性が低くなる。これにより走行中の車両の重量バランスも良くなる。
【図面の簡単な説明】
【図１】従来の吊革とそれを接続する長い尺を車両の天井方向から見た図が図１となる。交通機関車両の進行方向１０３１に対して平行に吊革を接合する長尺１００１が走っている。進行方向１０３１に平行して吊革１００２が接続されている。車両のゆれは人体に対して１０１１、１０１２、１０１３、１０１４の方向からかかる。
【図２】今発明の吊革を横から見た図になる。２００１は吊革が固定されている長尺である。２００２は吊革と長尺の接合部分であり固定されている。２００２は円盤２００３と溶接されている。２００３はもう一つの円盤２００４と擦り合わされている。円盤２００３は吊革握り手部分２００５と溶接されている。握り手部分には円盤２００２と２００３を回転させるための押ボタン２００６がついている。
【図３】長尺３００１と従来の吊革握り手部分を時計の針の回転方向に４５°回転させたときの吊革握り手部分３００２の位置関係を車両上部から見た図。
【図４】長尺４００１と従来の吊革握り手部分を時計の針の回転の逆方向に４５°回転させたときの吊革握り手部分４００２の位置関係を車両上部から見た図。
【図１】
2004249950.tif 000003
【図２】
2004249950.tif 000004
【図３】
2004249950.tif 000005
【図４】
2004249950.tif 000006
(57)【要約】【課題】暴走、飲酒などによる運転手の深追いしなくても楽にナンバーが読み取れるナンバープレートを提示する。【解決手段】色別反射式としたナンバープレート。【選択図】なし【特許請求の範囲】
【請求項１】
一般自動車、及び単車
【発明の詳細な説明】
暴走、飲酒窃盗の取締りが楽に出来る
【手続補正書】
【提出日】平成15年5月21日(2003.5.21)
【手続補正２】
【補正対象書類名】明細書
【補正対象項目名】全文
【補正方法】変更
【補正の内容】
【特許請求の範囲】道交法における車両全部
【発明の詳細な説明】
飲酒、暴走運転のとりしまり
(57)【要約】【課題】第一プリンタエンジンで、表面または裏面を印刷し、第二プリンタエンジンで裏面または表面を印刷する両面印刷プリンタにおいて、片面印刷データの場合、表面印刷のエンジンの使用頻度が増え裏面印刷エンジンよりも早く劣化し、その劣化が、画質として印刷結果に表れてしまうという課題がある。【解決手段】本発明は、第一のプリンタエンジンで表面または裏面を印刷し、第二のプリンタエンジンで裏面または表面を印刷する両面印刷プリンタにおいて、第一プリンタエンジンで印刷した枚数と、第二プリンタエンジンで印刷した枚数をカウントするカウント機能を具備し、片面印刷データは印刷枚数の少ないプリンタエンジンで印刷することを特徴とする。【選択図】      図２
2004249622.tif 000002
【特許請求の範囲】
【請求項１】
第一プリンタエンジンで表面または裏面を印刷し、第二プリンタエンジンで裏面または表面を印刷する両面印刷プリンタにおいて、前記第一プリンタプリンタエンジンで印刷した枚数と、前記第二プリンタエンジンで印刷した枚数をカウントするカウント機能を具備した両面印刷プリンタ。
【請求項２】
片面印刷のデータにおいては、ジョブ毎に前記第一及び第二のプリンタエンジンのカウント数を確認し、カウントした枚数が少ないプリンタエンジンを使用する機能を具備した請求項１記載の両面印刷プリンタ。
【請求項３】
片面印刷のデータにおいては、前記第一及び第二の何れのプリンタエンジンでも印刷指定することができる機能を具備した請求項１記載の両面印刷プリンタ。
【請求項４】
両面印刷のデータ時に、表面と裏面を印刷する前記第一及び第二の何れのプリンタエンジンでも印刷指定することができる機能具備した請求項１記載の両面印刷プリンタ。
【発明の詳細な説明】
【０００１】
【発明の属する技術分野】
本発明は、第一プリンタエンジンで、表面または裏面を印刷し、第二プリンタエンジンで裏面または表面を印刷することで高速に印刷できる両面印刷プリンタにおいて、第一プリンタエンジンで印刷した枚数と、第二プリンタエンジンで印刷した枚数をカウントすることで、印刷エンジンが均等に使用される機能を有した両面印刷プリンタに関するものである。
【０００２】
【従来の技術】
一般的な両面印刷可能なプリンタは、印刷エンジンが一つで、表面を印刷した後紙を反転させて裏面を印刷して両面印刷を実現している。
【０００３】
また、印刷エンジンを２つ持たせて表面を一方のエンジンで印刷、裏面をもう一方のエンジンで印刷し、高速印刷を実現している。
【０００４】
【発明が解決しようとする課題】
第一プリンタエンジンで表面または裏面を印刷し、第二プリンタエンジンで裏面または表面を印刷する高速印刷のプリンタにおいては、片面印刷データの場合、表面印刷のエンジンの使用頻度が増え裏面印刷エンジンよりも早く劣化する。
その劣化が、画質として印刷結果に表れてしまうという問題がある。
【０００５】
本発明は、印刷エンジンを均等に使用するよにしてプリンタとしての寿命を延ばし、裏面に対する表面の画質差を小さくすることを目的とする。
【０００６】
【課題を解決するための手段】
上記の目的は、第一プリンタプリンタエンジンで印刷した枚数と、第二プリンタエンジンで印刷した枚数をカウントするカウント機能をもたせ、前記第一及び第二の何れのプリンタエンジンをも印刷指定することができる機能を有することによって達成される。
【０００７】
【発明の実施の形態】
本発明の実施例を、図１から図３を用いて説明する。
【０００８】
図１は本発明のプリンタ構成図例である。印刷する用紙をセットする用紙カセット１と、表面または裏面を印刷を行う第一エンジン２と、裏面または表面を印刷を行う第二エンジン４と、用紙を第一プリンタエンジン２から第二プリンタエンジン４に運ぶ連結部３と、印刷物を排出するフィニッシャ部５とから構成されている。
【０００９】
図２に用紙の流れを示す。
【００１０】
例としてホストから両面印刷データが送られてくると、プリンタは指定された用紙を用紙カセット１からピックし、第一エンジン２で表面の印刷を行い、用紙を反転させ第一エンジン２から第二エンジン４に運ぶ連結部３を通り印刷を行う。第二エンジン４で裏面の印刷を行い、フィニッシャ部５から用紙は排出される。
【００１１】
第一エンジン２と第二エンジン４では、印刷した枚数をカウントする機能を持っている。各エンジンのカウンタは、プリンタエンジンの画質に関わる部品の交換によってリセットされる。例えばレーザプリンタの場合は、ドラム交換によりカウンタをリセットする。
【００１２】
図３に片面印刷データの場合の流れを示す。
【００１３】
片面印刷データの印刷指示があった場合、今まで印刷された第一エンジン２の印刷枚数のカウント値Ｓ１００を読込む。次に、印刷された第二エンジン４の印刷枚数のカウント値Ｓ１１０を読込む。次に印刷された第一エンジン２の印刷枚数のカウント値Ｓ１００と印刷された第二エンジン４の印刷枚数のカウント値Ｓ１１０を比較Ｓ１２０する。比較した結果、第一エンジン２で印刷した枚数の方が少ない場合は、第一エンジン２で印刷を行うＳ１３０。それ以外の場合は、第二エンジン４で印刷するＳ１４０様にする。
【００１４】
このような方式にすることで、第一エンジン２と第二エンジン４が均等に使用されることが可能となり、第一エンジン２と第二エンジン４の画質差を押えることと、マシン全体としての寿命を長くすることが可能となる。
【００１５】
また、プリンタドライバにて、片面印刷時には第一エンジン２で印刷するか第二エンジン４で印刷するかを指定できる様にすることで、例えば、画質の良いエンジン側を指定することが可能となる。
【００１６】
さらに、両面印刷時には、表面と裏面をどちらのエンジンで印刷するか指定できる様にすることで、例えば画像が多く含むページを画質の良いエンジン側に指定することが可能となる。
【００１７】
このように、第一プリンタエンジン２で、表面または裏面を印刷し、第二プリンタエンジン４で裏面または表面を印刷することで高速に印刷できるプリンタにおいて、各エンジンの使用量を判断して平均的にエンジンを使用することでプリンタとしての寿命を長くし、エンジン間の使用頻度を平均化することで表面に対する裏面の画質の差も小さくすることができる。
【００１８】
【発明の効果】
本発明によれば、第一のプリンタエンジンで表面または裏面を印刷し、第二プリンタエンジンで裏面または表面を印刷することで高速に印刷できるプリンタにおいて、第一プリンタエンジンで印刷した枚数と、第二プリンタエンジンで印刷した枚数をカウントし、印刷エンジンを均等に使用することによってプリンタとしての寿命をのばし、裏面に対する表面の画質差を小さくすることができる。
【図面の簡単な説明】
【図１】本発明の実施例である両面印刷プリンタの構成図。
【図２】本発明の実施例における用紙の流れ図。
【図３】本発明の実施例における片面印刷データの流れ図。
【符号の説明】
１は用紙カセット、２は第一エンジン、３は連結部、４は第二エンジン、５はフィニッシャ部である。
【図１】
2004249622.tif 000003
【図２】
2004249622.tif 000004
【図３】
2004249622.tif 000005
(57)【要約】【課題】レンダリング処理の高速化のためメモリ上に保存されたフォント等のデータリソースはプリンタの再起動後に破棄されてしまい、プリンタの復旧後に使用者が再度コンピュータからデータリソースをプリンタのメモリにダウンロードする必要があった。【解決手段】印刷データおよび印刷に必要なフォント等のリソースを格納するためのメモリと、フォント等のデータリソースを保存しておくためのＨＤＤと、プリンタの状態や設定メニュー等を表示するための液晶等の表示部を持つ操作パネルと、データを選択するための操作パネル上に装備された１個以上のスイッチと備え、コンピュータから印刷データを受信してプリンタ言語への変換処理を行うプリンタ制御装置において、印刷データが必要とするフォントが格納されている前記ＨＤＤから前記メモリへロードさせ、フォントのレンダリング処理を高速に処理させることを特徴とする。【選択図】図２
2004249621.tif 000002
【特許請求の範囲】
【請求項１】
印刷データおよび印刷に必要なフォント等のリソースを格納するためのメモリと、フォント等のデータリソースを保存しておくためのハードディスクドライブと、プリンタの状態や設定メニュー等を表示するための液晶等の表示部を持つ操作パネルと、データを選択するための操作パネル上に装備された１個以上のスイッチと備え、コンピュータから印刷データを受信してプリンタ言語への変換処理を行うプリンタ制御装置において、印刷データが必要とするフォントが格納されている前記ハードディスクドライブ（以下ＨＤＤ）から前記メモリへロードさせ、フォントのレンダリング処理を高速に処理させることを特徴とするプリンタ制御装置。
【発明の詳細な説明】
【０００１】
【発明の属する技術分野】
本発明は、フォント等のデータリソースを恒久的に保存するためのハードディスクドライブ等の外部記憶装置を搭載しているプリンタ制御装置に関する。
【０００２】
【従来の技術】
従来のプリンタでは、フォント等のデータリソースを恒久的に保持するためにハードディスクドライブ（以下ＨＤＤという。）にデータをダウンロードして保存し、プリンタ制御装置のＲＩＰ回路によりページイメージを展開する際、ＨＤＤから必要なリソースを読み出すためのデータの展開およびフォントのレンダリング処理に時間がかかってしまう。
【０００３】
また、データリソースを最初からメモリ上に保存する場合には、何らかの原因でシステムクラッシュ等が発生した場合にプリンタを復旧させるために電源のオフ・オンを実行してプリンタを再起動する必要があり、メモリ上にダウンロードして保存されたリソースは全て消去されてしまう。
【０００４】
【発明が解決しようとする課題】
前述したように、従来はレンダリング処理の高速化のためメモリ上に保存されたフォント等のデータリソースはプリンタの再起動後に破棄されてしまい、プリンタの復旧後に使用者が再度コンピュータからデータリソースをプリンタのメモリにダウンロードする必要があった。
【０００５】
【課題を解決するための手段】
本発明は、印刷データおよび印刷に必要なフォント等のリソースを格納するためのメモリと、フォント等のデータリソースを保存しておくためのハードディスクドライブと、プリンタの状態や設定メニュー等を表示するための液晶等の表示部を持つ操作パネルと、データを選択するための操作パネル上に装備された１個以上のスイッチと備え、コンピュータから印刷データを受信してプリンタ言語への変換処理を行うプリンタ制御装置において、印刷データが必要とするフォントが格納されている前記ＨＤＤから前記メモリへロードさせ、フォントのレンダリング処理を高速に処理させることを特徴とする
【０００６】
【発明の実施の形態】
以下図を用いて本発明の一実施例を説明する。
【０００７】
図１は本発明のプリンタ制御装置の構成例を示すブロック図である。
図１でプリンタ制御装置はＣＰＵ１、メモリ２、ＲＩＰ（Ｒａｓｔｅｒ  Ｉｍａｇｅ  Ｐｒｏｃｅｓｓｉｎｇ）回路３、ＨＤＤ４、操作パネル５、インターフェース６から構成される。
【０００８】
コンピュータからダウンロードされたフォント等のデータリソースはインターフェース６から取り込まれ、メモリ２上にロードされる。その際にＨＤＤ４へデータリソースのコピーを開始する。コンピュータから印刷データが送信された場合、ＲＩＰ回路３により印刷データに必要なデータリソースをメモリ２から展開して全てのページイメージを作成する。
【０００９】
何らかの原因でプリンタの再起動が必要な場合、メモリ２上に保持されたデータリソースは破棄されるが、コピーされたデータリソースはＨＤＤ４に保存されているため、プリンタの再起動後にＨＤＤ４に保存してあるデータリソースをメモリ２へ自動的にロードする。
【００１０】
図２は本発明のＨＤＤ４からメモリ２にロードさせるデータリソースの有無を検出し、メモリ２へ必要なデータリソースをロードするまでの動作例を示すフローチャートである。
【００１１】
ステップＳ１で、プリンタが起動する。
【００１２】
ステップＳ２で、ＨＤＤ４上に保存されたデータリソースの有無を検索する。
【００１３】
ステップＳ３で、データリソースが有る場合にはステップＳ４へ移行する。データリソースがＨＤＤ４上に保存されていない場合にはプリンタの起動が終了し印刷準備が完了する（ステップＳ８）。
【００１４】
ステップＳ４で、ＨＤＤ４上に保存してあるデータリソースのサイズをリソース毎に計算する。
ステップＳ５で、メモリのデータリソースを保存するための領域を計算し、上記ステップＳ４で計算したデータリソースの容量と比較する。メモリ領域の方が多い場合にはステップＳ６へ、メモリ領域が足りない場合にはステップＳ７へそれぞれ移行する。
【００１５】
ステップＳ６で、メモリ上へロードしたいデータリソースを操作パネル５から選択する。その際、操作パネル５上で選択したデータリソースの合計がメモリ領域内に収まるかどうかを計算し、入りきらないデータは選択不可となる。
【００１６】
ステップＳ７で、ＨＤＤ４上のデータリソースをメモリ上へロードする。
【００１７】
ステップＳ８で、プリンタの起動が終了し印刷準備が完了する。
【００１８】
【発明の効果】
上記した本発明によれば、フォント等のデータリソースをメモリからロードできるため、外部記憶装置からデータリソースを展開する場合と比較してフォントのレンダリング処理やページイメージの展開処理の高速化が可能となる。
【００１９】
また、レンダリング処理の高速化のためにフォント等のデータリソースをメモリ上に保持する際に、外部記憶装置にデータリソースをコピーするため、システムクラッシュが発生した際でもデータリソースの再ダウンロードの必要が無くなりデータリソースの保存性が向上する。
【図面の簡単な説明】
【図１】本発明のプリンタ制御装置の構成を示すブロック図である。
【図２】本発明におけるＨＤＤからメモリにロードさせるデータリソースの有無を検出し、メモリへ必要なデータリソースをロードするまでの動作例を示すフローチャートである。
【符号の説明】
１  ＣＰＵ
２  メモリ
３  ＲＩＰ回路
４  ＨＤＤ
５  操作パネル
６  インターフェース
【図１】
2004249621.tif 000003
【図２】
2004249621.tif 000004
(57)【要約】      （修正有）【課題】持ち上げなくても、運搬可能な角のみ機を提供する。【解決手段】ベース１と、ベースに配設したフレーム２と、フレームに垂設され、上端が連結された複数のコラム３と、コラムに上下動可能に支持され、角のみ９を備えたヘッド部８と、ベースに取り付けられた一対のバイスプレート１１と、を有する角のみ機において、ベース下面に一対のキャスター１５を取り付け、コラム上方に取っ手５を取り付けた。【選択図】  図１
2004249650.tif 000002
【特許請求の範囲】
【請求項１】
ベースと、該ベースに配設したフレームと、該フレーに垂設され、上端が連結された複数のコラムと、該コラムに上下動可能に支持され、角のみを備えたヘッド部と、前記ベースに取り付けられた一対のバイスプレートと、を有する角のみ機において、前記ベース下面に一対のキャスターを取り付け、前記コラム上方に取っ手を取り付けたことを特徴とする角のみ機。
【請求項２】
ベースと、該ベースに配設したフレームと、該フレーに垂設され、上端が連結された複数のコラムと、該コラムに上下動可能に支持され、角のみを備えたヘッド部と、前記ベースに取り付けられた一対のバイスプレートと、を有する角のみ機において、前記ベース下面に一対のキャスターと高さ調整ボルトを取り付け、前記コラム上方には取っ手を取り付けたことを特徴とする角のみ機。
【請求項３】
前記取っ手は、上下に移動可能であり高さを調節可能としたことを特徴とする請求項１または２に記載の角のみ機。
【発明の詳細な説明】
【０００１】
【発明の属する技術分野】
本発明は、形態形の角のみ機に関するものである。
【０００２】
【従来の技術】
従来の角のみ機の概略構成を図５を用いて説明する。
【０００３】
図５において、ベース１内に配設したフレーム２上には２本の円筒コラム３が垂設され、コラム３は上端をブリッジ４により連結固定されている。コラム３にはヘッド部８が昇降可能に支持され、該ヘッド部８には角のみ９（図１参照）の一端を固定している。ヘッド部８の昇降はモーター１０の駆動によって行われる。
【０００４】
ベース１の下方には前後方向に面取りを設けた一対の移動バイス１１が配設されている。前記バイス１１はベース１に移動可能にとりつけられており、その移動はハンドル１３の回転で行われる。１４は増し締めレバーであり、本レバー１４でバイス１１の固定が行われ、加工材を挟持する構成になっている。
【０００５】
【発明が解決しようとする課題】
角のみ機の質量は２０Ｋｇ程度有り、運搬する時には持ち上げて運ばなければならず、作業者にとっては重労働であった。
【０００６】
本発明は角のみ機の運搬性向上を図ることを目的とする。
【０００７】
【課題を解決するための手段】
上記目的は、ベースと、該ベースに配設したフレームと、該フレーに垂設され、上端が連結された複数のコラムと、該コラムに上下動可能に支持され、角のみを備えたヘッド部と、前記ベースに取り付けられた一対のバイスプレートと、を有する角のみ機において、前記ベース下面に一対のキャスターを取り付け、前記コラム上方に取っ手を取り付けることにより達成される。
【０００８】
【発明の実施の形態】
本発明の角のみ機運搬機構を図１〜図４により説明する。図１〜図４において図５と同一部分は同一符号で示してあり、詳細な説明は省略する。
【０００９】
図１は角のみ機の正面図、図２は図１の側面図、図３はＡ−Ａ断面図、図４は角のみ機を運搬するため前方に傾斜させた時の図である。
【００１０】
ベース１の前部下方には１対のキャスター１５が配設されている。そしてキャスター１５の後方であるベース１の後部下方には１対の高さ調整ボルト１６が螺合されており、該ボルト１６には固定ナット１７を螺合してある。このボルト１６とナット１７で角のみ機の水平レベルを調整する。
【００１１】
コラム３にはパイプで構成したＵ形状の取っ手５が上下に伸縮自在に取り付けられ、該取っ手５はブリッジ４に配設したストッパ６とスプリング７により適宜高さ位置に固定される。
【００１２】
上記構成において、角のみ機を運搬する時は角のみ機の高さは６００ｍｍ程度しかないため、取っ手５のストッパ６を外して取っ手５を適宜高さ位置に引きあげ、ストッパ６を５に設けた穴に差込み固定する。この後角のみ機を前方に傾斜させ、取っ手５を持って角のみ機を手前に引けば楽に運搬することができる。
【００１３】
【発明の効果】
本発明によれば、角のみ機を運搬する場合もちあげて運ぶ必要がなく運搬性の向上を図ることができる。
【図面の簡単な説明】
【図１】本発明の実施形態を示す角のみ機の正面図である。
【図２】図１の側面図である。
【図３】図２のＡ−Ａ断面図である。
【図４】本発明角のみ機を運搬するため前方に傾斜させた図である。
【図５】従来の角のみ機の側面図である。
【符号の説明】
１…ベース、２…フレーム、３…コラム、４…ブリッジ、５…取っ手、６…ストッパ、７…スプリング、８…ヘッド部、９…角のみ、１１、１２…バイスプレート、１５…キャスター、１６…高さ調整ボルト、１７…固定ナット。
【図１】
2004249650.tif 000003
【図２】
2004249650.tif 000004
【図３】
2004249650.tif 000005
【図４】
2004249650.tif 000006
【図５】
2004249650.tif 000007
(57)【要約】【課題】わずかな時間でも十分な情報を提供でき、しかも保存に便利で、時間が経過した後であってもその情報を有効に活用できる自己履歴紹介方法及びその方法に使用する名刺を提供する。【解決手段】本発明に係る自己履歴紹介方法は、特徴的な用紙を使用して、氏名（３）、連絡先情報（４）、技能情報（５）、経歴情報（６）、商品情報（７）、個人情意情報（８）及び実績情報（９）を表示するものである。そして、該用紙は、本発明に係る名刺（１０）であり、普通名刺を２枚連結したサイズであって、中央で二つ折にされ、表側に配置される面（１ａ）の一方に該氏名及び該連絡先情報が表示され、表面側に配置される他方の面（１ｂ）及び裏側に配置される面（２）に該技能情報、該経歴情報、該商品情報、該個人情意情報、該実績情報が表示されていることを特徴とする。【選択図】  図１
2004249699.tif 000002
【特許請求の範囲】
【請求項１】
普通名刺を２枚連結したサイズであって、中央で二つ折にして名刺大とした用紙（１０）を使用し、
該用紙（１０）の表側に配置される面の一方（１ａ）に氏名（３）及び連絡先情報（４）を表示し、表面側に配置される他方の面（１ｂ）及び裏側に配置される面（２）に技能情報（５）、経歴情報（６）、商品情報（７）、個人情意情報（８）、実績情報（９）を表示することを特徴とする自己履歴紹介方法。
【請求項２】
普通名刺を２枚連結したサイズであって、中央で二つ折にされ、
表側に配置される面の一方（１ａ）に氏名（３）及び連絡先情報（４）が表示され、表面側に配置される他方の面（１ｂ）及び裏側に配置される面（２）に技能情報（５）、経歴情報（６）、商品情報（７）、個人情意情報（８）、実績情報（９）が表示されていることを特徴とする名刺（１０）。
【発明の詳細な説明】
【０００１】
【発明の属する技術分野】
本発明は、初対面の人に対し、自分の情報を開示するための方法に関するものである。
【０００２】
【従来の技術】
業務において、初対面の人に対しては、名刺により自分の氏名や連絡先等を伝える方法が普及している。また、営業活動においては、パンフレット等を渡すことにより、営業に関するより詳細な情報を開示する方法が普及している。
【０００３】
【発明が解決しようとする課題】
しかしながら、名刺に表示された情報からだけでは、名刺を受けた人が相手の人柄等を把握することは困難であった。また、名刺を受け取った後、時間が経つと、その名刺を見ただけではその持ち主がどのような人であったかを想いだすことは極めて困難であり、名刺を交換する双方が、ビジネスチャンスを喪失する可能性が高いという問題があった。
【０００４】
また、パンフレット等は、多くの情報を提供できるが、その大きさは作成者の意図により変わるため区々で、保存が不便になるという問題があった。
【０００５】
そこで、本発明は、わずかな時間でも十分な情報を提供でき、しかも保存に便利で、時間が経過した後であってもその情報を有効に活用できる自己履歴紹介方法及びその方法に使用する名刺を提供することを目的とする。
【０００６】
【課題を解決するための手段】
本発明に係る自己履歴紹介方法は、特徴的な用紙を使用して、氏名、連絡先情報、技能情報、経歴情報、商品情報、個人情意情報及び実績情報を表示するものである。そして、該用紙は、本発明に係る名刺であり、普通名刺を２枚連結したサイズであって、中央で二つ折にされ、表側に配置される面の一方に該氏名及び該連絡先情報が表示され、表面側に配置される他方の面及び裏側に配置される面に該技能情報、該経歴情報、該商品情報、該個人情意情報、該実績情報が表示されていることを特徴とする。なお、本発明において普通名刺とは、原則として高さ５５ｍｍ、幅９１ｍｍのいわゆる９号サイズのものをいうが、サイズを厳密に制限することを意味するものではなく、９号サイズから数パーセントの範囲で高さや幅を変更したものも含まれる。
【０００７】
この本発明に係る名刺を利用した自己履歴紹介方法によれば、広く行われる名刺交換の機会を利用して、わずかな時間でビジネスに必要十分な情報を相手に提供できる。また、サイズの統一された名刺に表示された情報は保存にも便利であり、更に、時間が経過した後でも保存されている名刺から必要な情報を引き出し、その情報を再度活用することが可能となる。
【０００８】
【発明実施の形態】
図１は本発明に係る名刺の具体例を示し、（ａ）は表側に配置される面を開いた状態で示す平面図、（ｂ）は裏側に配置される面を開いた状態で示す裏面図、（ｃ）は閉じた状態の正面図である。
【０００９】
この名刺１０は、９号サイズの名刺を２枚連結したサイズであり、中央（図中破線で示す部分）で二つ折にされている。表側に配置される面の一方１ａに氏名３及び連絡先情報４が表示され、他方の面１ｂに技能情報５及び経歴情報６が表示されている。また、裏側に配置される面２に商品情報７、個人情意情報８及び実績情報９が表示されている。
【００１０】
なお、連絡先情報４として、住所、電話番号、ＦＡＸ番号が表示されている。また、技能情報５として、この名刺１０の持ち主が有する国家資格、認定資格が表示されている。更に、個人情意情報８として、この名刺の持ち主の業務に取り組む姿勢や掲げる目標（業務上の使命）が表示されている。
ただし、これらの表示項目に制限はなく、必要に応じて、例えば、連絡先情報４として、電子メールアドレスや営業時間等を表示してもよい。また、氏名３及び連絡先情報４が表側に配置されれば、その他の情報は、必要に応じてその配置を変更してもよい。
【００１１】
この名刺１０を利用した自己履歴紹介方法によれば、広く行われる名刺交換の機会を利用して、わずかな時間でビジネスに必要十分な情報を相手に提供できる。また、サイズの統一された名刺に表示された情報は保存にも便利であり、更に、時間が経過した後でも保存されている名刺から必要な情報を引き出し、その情報を再度活用することが可能となる。
【００１２】
【発明の効果】
本発明に係る名刺を利用した自己履歴紹介方法によれば、広く行われる名刺交換の機会を利用して、わずかな時間でビジネスに必要十分な情報を相手に提供できる。また、サイズの統一された名刺に表示された情報は保存にも便利であり、更に、時間が経過した後でも保存されている名刺から必要な情報を引き出し、その情報を再度活用することが可能となる。
【図面の簡単な説明】
【図１】本発明に係る名刺の具体例を示し、（ａ）は表側に配置される面を開いた状態で示す平面図、（ｂ）は裏側に配置される面を開いた状態で示す裏面図、（ｃ）は閉じた状態の正面図である。
【符号の説明】
１ａ、１ｂ  表側に配置される面
２    裏側に配置される面
３    使命
４    連絡先情報
５    技能情報
６    経歴情報
７    商品情報
８    個人情意情報
９    実績情報
１０  名刺
【図１】
2004249699.tif 000003